(57)【要約】【課題】作業者とデータ処理結果を閲覧する者とが異なる場合に有効な温度測定システムおよび温度測定方法を提供する。【解決手段】サービス依頼者側（具体的には作業者）が温度データを取得した温度測定記録装置を第１情報処理装置に認識させると、それを契機として自動的に温度データの抽出が開始され、抽出された温度データが自動的に第２情報処理装置へと送信される。サービス提供者側では、グラフ化等のデータ処理がなされ、そのデータ処理の結果は、サービス依頼者側（具体的には作業者とは異なる結果閲覧者）へと通知される。温度データの抽出から送信までの処理が自動的に行われるため、作業者に特別な知識を要することがない。【選択図】  図１
2004219331.tif 000002
【特許請求の範囲】
【請求項１】
温度測定記録装置と、
前記温度測定記録装置から温度データを抽出し、前記温度データを第２情報処理装置に送信する第１情報処理装置と、
を含み、
前記第１情報処理装置が、前記温度測定記録装置を認識することにより前記抽出から送信までの処理を自動的に行う手段を含む、温度測定システム。
【請求項２】
前記第２情報処理装置が、前記第１情報処理装置から送信された前記温度データを処理する手段および前記温度データの処理結果を第３情報処理装置に送信する手段を含む、請求項１に記載の温度測定システム。
【請求項３】
前記第１情報処理装置が、前記温度測定記録装置の条件データを算出する手段および前記条件データを前記温度測定記録装置に設定する手段を含み、
前記条件データを算出する手段および設定する手段が、前記第１情報処理装置により前記条件データが未設定であると判別された後、または、前記第１情報処理装置から前記温度データが送信された後に自動的に動作する、請求項１または２に記載の温度測定システム。
【請求項４】
温度測定記録装置と、
前記温度測定記録装置から前記温度データを抽出した後に前記温度データを処理し、前記温度データの処理結果を第３情報処理装置に送信する第１情報処理装置と、
を含み、
前記第１情報処理装置が、前記温度測定記録装置を認識することにより前記抽出から送信までの処理を自動的に行う手段を含む、温度測定システム。
【請求項５】
前記第１情報処理装置が、前記温度測定記録装置の条件データを算出する手段および前記条件データを前記温度測定記録装置に設定する手段を含み、
前記条件データを算出する手段および設定する手段が、前記第１情報処理装置により前記条件データが未設定であると判別された後、または、前記第１情報処理装置から前記温度データの処理結果が送信された後に自動的に動作する、請求項４に記載の温度測定システム。
【請求項６】
前記温度測定記録装置が、第１識別データ、測定開始情報、測定間隔および測定点数を含み、
前記第１情報処理装置が、測定条件データを含み、
前記測定開始情報、前記測定間隔および前記測定点数が、前記第１情報処理装置において前記測定条件データに基づいて算出される、請求項３または５に記載の温度測定システム。
【請求項７】
前記第１情報処理装置が、前記温度測定記録装置が初期化されているか否かを判別する手段および前記温度測定記録装置の測定条件が未設定であるか否かを判別する手段を含み、
前記初期化されているか否かを判別する手段および測定条件が未設定であるか否かを判別する手段が、前記第１情報処理装置により前期温度測定記録装置が認識されたことにより自動的に動作する、請求項３または５に記載の温度測定システム。
【請求項８】
温度測定記録装置が、温度を測定するステップと、
第１情報処理装置が、前記温度測定記録装置を認識するステップと、
前記第１情報処理装置が、前記温度測定記録装置に記録された温度データを抽出するステップと、
前記第１情報処理装置が、前記抽出した温度データを第２情報処理装置に送信するステップと、
を含み、
前記第１情報処理装置が、前記温度測定記録装置を認識することにより前記抽出から送信までの処理を自動的に行う、温度測定方法。
【請求項９】
前記第２情報処理装置が、前記第１情報処理装置から送信された前記温度データを受信するステップと、
前記第２情報処理装置が、前記受信された温度データを処理するステップと、
前記第２情報処理装置が、前記温度データの処理結果を第３情報処理装置に送信するステップと、
を含む、請求項８に記載の温度測定方法。
【請求項１０】
温度測定記録装置が、温度を測定するステップと、
第１情報処理装置が、前記温度測定記録装置を認識するステップと、
前記第１情報処理装置が、前記温度測定記録装置に記録された温度データを抽出するステップと、
前記第１情報処理装置が、前記抽出した温度データを処理するステップと、
前記第１情報処理装置が、前記温度データの処理結果を第３情報処理装置に送信するステップと、
を含み、
前記第１情報処理装置が、前記温度測定記録装置を認識することにより前記抽出から送信までの処理を自動的に行う、温度測定方法。
【請求項１１】
前記第１情報処理装置が、前記温度測定記録装置の条件データを算出するステップと、
前記第１情報処理装置が、前記温度測定記録装置に対して前記条件データを設定するステップと、
を含み、
前記条件データを算出するステップおよび前記条件データを設定するステップが自動的に行われる、請求項８〜１０のいずれか一項に記載の温度測定方法。
【請求項１２】
前記温度データを測定するステップに先立って、
前記第１情報処理装置が、前記温度測定記録装置を認識するステップと、
前記第１情報処理装置が、前記温度測定記録装置が初期化されているか否かを判別するステップと、
前記温度測定記録装置が初期化されている場合に、前記第１情報処理装置が、前記温度測定記録装置の測定条件が未設定であるか否かを判別するステップと、
前記温度測定記録装置の測定条件が未設定である場合に、前記第１情報処理装置が、前記温度測定記録装置の条件データを算出するステップと、
前記算出された条件データを前記温度測定記録装置に対して設定するステップと、
を含み、
前記温度測定記録装置を認識するステップから前記条件データを設定するステップまでの処理が自動的に行われる、請求項８〜１１のいずれか一項に記載の温度測定方法。
【発明の詳細な説明】
【０００１】
【発明の属する技術分野】
本発明は、温度測定サービスを提供する温度測定システムおよびその温度測定システムを用いた温度測定方法に関する。
【０００２】
【従来の技術】
近年、様々な商品やサービスが市場に提供されるようになり、供給過剰の様相を呈している面も見受けられる。事業者は、他の事業者との差別化を図るために、例えばなんらかの付加価値をつけて、市場優位性を保つ必要性に迫られるケースも少なくない。このような付加価値として、品質管理の重要性が増してきているのも事実である。
【０００３】
品質管理といっても様々であるが、特に温度管理は、熱による商品の品質への影響が大きい場合には重要視される。温度は、環境によって刻々と変化するものであるので、その変化の追跡をするためには記録計、設定機器、データ処理ソフトウェア等の設備が必要である。しかし、これらの機器は、高価であったり、操作が難しかったりなど、このような機器に不慣れな事業者にとってはより安価で簡易なものが望まれていた。
【０００４】
このような事業者の要望を満足すべく、本出願人は、温度管理の汎用性を高めてより一般的な事業者にも利用できるようにするため、簡易な温度測定サービスを提供している。この簡易温度計測サービスについては、非特許文献１に記載されている。
【０００５】
この温度測定サービスは、データを記録するロガータイプの温度測定記録装置（温度記録計）をサービス依頼者（クライアント）に貸し出し、サービス依頼者が測定・回収した後、サービス提供者に温度測定記録装置を送付し、サービス提供者がデータ処理結果をサービス依頼者に送付するというものである。温度測定記録装置は、汎用製品であり、例えば米国ダラス社製のものが使用される。この温度測定記録装置は、直径１７ｍｍ、厚さ６ｍｍのステンレス製小型ケースの中に電池、メモリ、カレンダー、時計等が内蔵されており、最大２０４８点の測定点数と記録１〜２５５分までの時間間隔が選択可能である。
【０００６】
このサービスの概要を図６を用いて説明する。サービス依頼者が測定条件の通知とともにサービスを発注すると（ステップ６０１）、サービス提供者は、受注し（ステップ６０２）、通知された測定条件に基づいてあらかじめ測定条件に関する設定をした温度測定記録装置を送付する（ステップ６０３）。サービス依頼者は、温度測定記録装置を受け取ると（ステップ６０４）、それを測定対象の近くにおくだけで温度データを取得することができる（ステップ６０５）。測定後、温度測定記録装置をサービス提供者に返却すれば（ステップ６０６）、サービス提供者側で受け取った後（ステップ６０７）、温度データの抽出（ステップ６０８）および分析、グラフ化等のデータ処理（ステップ６０９）を行い、その結果（データ処理結果）をサービス依頼者へ通知する（ステップ６１０）。サービス依頼者は、通知されたデータ処理結果を受領（ステップ６１１）して取引が終了する（ステップ６１２）。
【０００７】
このサービスにおいては、データ取得後の温度測定記録装置をサービス提供者に返送する（通常は、郵送することになる。）必要があるため、温度測定データの処理結果を一刻も早く知りたいサービス依頼者に対してさらなる改善の余地がある。そのようなケースに対処するためには、測定データのみを携帯端末によってサービス提供者が管理するサーバに転送し、サーバにてデータ処理を行って、サービス依頼者に通知する方法も考えられる。本出願人は、このようなケースに対処すべく特許文献１に記載の発明を開示している。
【０００８】
しかしながら、サービス依頼者が、別の作業者（オペレータ）を使って商品を輸送する場合など、温度測定をする者とデータ処理結果を閲覧する者が異なる場合もあり、そのようなケースに対してもさらなる改善の余地がある。特に、作業者においては、携帯端末等の電子機器の取り扱いに不慣れな場合も想定されるため、より簡易な温度測定サービスが望まれる。
【０００９】
【非特許文献１】
簡易温度計測サービス  ＮＥＴ  ｄｅ  ＣＨＥＣＫ、温度ＴＥＣＨ−ＪＡＭ、インターネット＜ＵＲＬ：ｈｔｔｐ：／／ｗｗｗ．ｔｅｃｈ−ｊａｍ．ｃｏｍ／ｔｅｍｐ／ｔｇ＞
【特許文献１】
特開２００２−３２９２８１号公報
【００１０】
【発明が解決しようとする課題】
本発明の目的は、上記事情に鑑み、上記温度測定サービスをさらに改善するための温度測定システムおよび温度測定方法を提供することにある。具体的な目的の一つは、温度測定データを取得する者（作業者）とデータ処理結果を閲覧する者（サービス依頼者）とが異なる場合に有効な温度測定システムおよび温度測定方法を提供することにある。
【００１１】
また、他の目的の一つは、上記作業者が、電子機器に対して不慣れな者であった場合に有効な、より簡易な温度測定システムおよび温度測定方法を提供することにある。
【００１２】
【課題を解決するための手段】
本願の第１発明は、
温度測定記録装置と、
前記温度測定記録装置から前記温度データを抽出し、前記温度データを第２情報処理装置に送信する第１情報処理装置と、
を含み、
前記第１情報処理装置が、前記温度測定記録装置を認識することにより前記抽出から送信までの処理を自動的に行う手段を含む、温度測定システムである。
【００１３】
温度測定記録装置とは、温度を測定する機能と測定した温度を記録する機能を備えた装置である。温度測定記録装置としては、前記ダラス社製の温度記録計に限らず、同等の機能を有する他の汎用製品を用いることができる。温度測定記録装置は、自己識別のためのＩＤを有しており、このＩＤに関連付けられたサービス依頼者のＩＤとの対比でサービス依頼者が識別される。
【００１４】
第１情報処理装置とは、実際に温度測定を行い温度データを抽出する者（作業者）が操作する情報端末である。第１情報処理装置としては、携帯情報端末、携帯電話、ノート型パソコンその他の情報処理装置が例示される。上記第１発明において、第１情報処理装置は、少なくとも温度データを抽出する手段および温度データを送信する手段を有している必要がある。
【００１５】
第２情報処理装置とは、サービス提供者の管理下におかれた情報端末であり、第１情報処理装置から送信された温度データを基に分析、グラフ化その他のデータ処理を行う手段およびそのデータ処理結果をサービス依頼者に通知する手段を有する。いわゆるサーバとして機能する単一のコンピュータであっても良いが、ネットワークを介して連携する複数のコンピュータからなるシステムが構築されていても良い。
【００１６】
なお、本願発明の発明特定事項に含まれる「手段」は、その機能を確保できるものであれば、ハードウェアであるとソフトウェアであるとを問わない。ソフトウェア（典型的にはアプリケーションソフトウェア）である場合には、情報端末にあらかじめインストールされたものであっても良いし、ネットワークを介してダウンロードしたもの、またはネットワークを介して提供されるものであっても良い。以下の発明においても同様である。
【００１７】
上記第１発明では、第１情報処理装置が温度測定記録装置を認識することにより、自動的に温度データを抽出し、抽出した温度データを第２情報処理装置へと送信する。認識の方法は、接触による物理的または電気的認識による方法や非接触で電気的または磁気的に認識させる方法を採用できる。例えば、第１情報処理装置が温度測定記録装置を認識する場合とは、温度測定記録装置をアダプタ等へ装着した際のインターフェイスを介した信号検知による場合や温度測定記録装置が発する信号を第１情報処理装置が受信した場合等が例示される。後者の技術は、ブルートゥース（Ｂｌｕｅｔｏｏｔｈ）技術または非接触ＩＣカードの通信技術として一般的になりつつある技術を用いることができる。
【００１８】
上記第１発明によれば、作業者が第１情報処理装置に温度測定記録装置を認識させるだけで、温度データの抽出から送信まですべて自動で行われるため、作業者にとって電子機器に関する知識を要する特別な操作は不要である。従って、より簡易に温度測定サービスを受けることが可能な温度測定システムを構築することができる。
【００１９】
本願の第２発明は、上記第１発明において、
前記第２情報処理装置が、前記第１情報処理装置から送信された前記温度データを処理する手段および前記温度データの処理結果を第３情報処理装置に送信する手段を含む、温度測定システムである。
【００２０】
第３情報処理装置とは、サービス依頼者、即ちデータ処理の結果を閲覧する者（結果閲覧者）の操作する情報端末である。第３情報処理端末は、データ処理の結果を閲覧するための機能、例えばメールを受信する手段、データをダウンロードする手段等を備えていれば良い。また、コンピュータに限らず、ファクシミリなど印刷物によりデータを閲覧できる情報端末であっても良い。
【００２１】
上記第２発明によれば、第１発明により自動的に第２情報処理装置へ送信された温度データが処理されてサービス依頼者の情報端末に送信される。そのため、作業者が特別な操作をしなくても、サービス依頼者にデータ処理結果を送信するまでの処理がすべて自動的に行われる簡易な取引システムを構築できる。
【００２２】
本願の第３発明は、上記第１または第２発明において、
前記第１情報処理装置が、前記温度測定記録装置の条件データを算出する手段および前記条件データを前記温度測定記録装置に設定する手段を含み、
前記条件データを算出する手段および設定する手段が、前記第１情報処理装置により前記条件データが未設定であると判別された後、または、前記第１情報処理装置から前記温度データが送信された後に自動的に動作する、温度測定システムである。
【００２３】
条件データとは、温度測定記録装置が要する測定条件に関するデータであり、具体的には、測定開始情報「Ｄ」、測定間隔「Ｓ」および測定点数を含む。測定開始情報とは、温度測定記録装置に条件データが設定された（書き込まれた）時点から測定開始時刻までの時間であり、設定と同時にかかるトリガの役目を果たす。測定間隔および測定点数は、任意に設定できる値であるが、測定終了時刻との関係で一方が決まれば他方が一義的に決まる。
【００２４】
上記第３発明においては、これら条件データの算出および設定が、第１情報処理装置により条件データの未設定が認識された後、または、第１情報処理装置から温度データが送信された後に自動で行われる点に特徴がある。条件データが未設定であるときとしては、例えば何ら情報の記録されていない空の温度測定記録装置を使用する場合がある。温度測定記録装置の送付から測定開始までの時間「Ｄ」が非常に長い時またはいつ測定を開始するか不明な時など、サービス依頼者側で設定した方が便利な場合に実益がある。
【００２５】
上記第３発明によれば、条件データの算出および設定が第１情報処理装置によってすべて自動的に行われるため、空の温度測定記録装置に条件データを設定する際、または、同じ温度測定記録装置を用いて複数回の温度測定を行う際に簡易な温度測定サービスを受けることが可能となる。
【００２６】
本願の第４発明は、
温度測定記録装置と、
前記温度測定記録装置から前記温度データを抽出した後に前記温度データを処理し、前記温度データの処理結果を第３情報処理装置に送信する第１情報処理装置と、
を含み、
前記第１情報処理装置が、前記温度測定記録装置を認識することにより前記抽出から送信までの処理を自動的に行う手段を含む、温度測定システムである。
【００２７】
上記第４発明によれば、作業者が温度測定記録装置を第１情報処理装置に認識させたことを契機として、データ抽出からそのデータの処理結果を送信するまでの処理がすべて自動的に行われるため、より迅速で簡易な取引システムが構築できる。
【００２８】
本願の第５発明は、上記第４発明において、
前記第１情報処理装置が、前記温度測定記録装置の条件データを算出する手段および前記条件データを前記温度測定記録装置に設定する手段を含み、
前記条件データを算出する手段および設定する手段が、前記第１情報処理装置により前記条件データが未設定であると判別された後、または、前記第１情報処理装置から前記温度データの処理結果が送信された後に自動的に動作する、温度測定システムである。
【００２９】
上記第５発明によれば、前述の第３発明と同様に、条件データの算出および設定が第１情報処理装置によってすべて自動的に行われるため、空の温度測定記録装置に条件データを設定する際、または、同じ温度測定記録装置を用いて複数回の温度測定を行う際に簡易な温度測定サービスを受けることが可能となる。
【００３０】
本願の第６発明は、上記第１発明において、
前記温度測定記録装置が、第１識別データ、測定開始情報、測定間隔および測定点数を含み、
前記第１情報処理装置が、測定条件データを含み、
前記第２情報処理装置が、前記第１識別データに関連付けられた第２識別データを含み、
前記測定開始情報、前記測定間隔および前記測定点数が、前記第１情報処理装置において前記測定条件データに基づいて算出される、温度測定システムである。
【００３１】
第１識別データとは、温度測定記録装置を識別するためのデータである。第２識別データとは、サービス依頼者を識別するためのデータであり、第１識別データと関連付けられる。即ち、第１識別データと関連付けられた第２識別データの存在により第１識別データとサービス依頼者が関連付けられるのである。
【００３２】
測定条件データとは、サービス依頼者からサービス提供者へとあらかじめ通知された測定条件に関するデータであり、温度測定記録装置に設定すべき条件データの算出に必要な情報が含まれる。例えば、測定開始時刻、測定終了時刻、測定点数等が例示できる。温度測定記録装置に設定される条件データは、この測定条件データに基づいて算出される。
【００３３】
上記第６発明によれば、温度測定記録装置が有する第１識別データによって、温度データとサービス依頼者が関連付けられるため、サービス提供者側においてデータ管理が容易となる。特に、１回の測定で複数の温度測定記録装置を使用する場合には個々の温度データ毎に管理する必要があり、その効果は顕著である。
【００３４】
本願の第７発明は、上記第３または第５発明において、
前記第１情報処理装置が、前記温度測定記録装置が初期化されているか否かを判別する手段および前記温度測定記録装置の測定条件が未設定であるか否かを判別する手段を含み、
前記初期化されているか否かを判別する手段および測定条件が未設定であるか否かを判別する手段が、前記第１情報処理装置により前期温度測定記録装置が認識されたことにより自動的に動作する、温度測定システムである。
【００３５】
「温度測定記録装置が初期化されているか否か」とは、温度測定記録装置に温度データが記録されているか否かである。即ち、温度データの記憶領域すべてがゼロまたはヌル（Ｎｕｌｌ）で満たされている場合または初期化されているか否かを表すフラグを立てておく等、あらかじめ定められた初期化の状態にあるときは、温度データが記録されていないと判別される。一方、それ以外の状態にあるときは、温度データが記録されていると判別される。
【００３６】
「温度測定記録装置の測定条件が未設定であるか否か」とは、具体的には、温度測定記録装置に前記の条件データが設定されているか否かである。即ち、温度測定記録装置が、少なくとも決められた時刻に温度測定を開始し、測定した温度を記録し、決められた時刻に温度測定を終了するに必要な情報が設定されているか否かを意味する。
【００３７】
上記第７発明によれば、温度測定記録装置の状態、即ち初期化されているか、条件設定がなされているかを特別な操作を要することなく確認でき、誤認等によって測定済みの温度測定記録装置を上書きしてしまったり、測定条件の設定されていない温度測定記録装置を使用してしまったりという事故を防止できる。特に、１回の測定で複数の温度測定記録装置を使用する場合に有効である。
【００３８】
本願の第８発明は、
温度測定記録装置が、温度を測定するステップと、
第１情報処理装置が、前記温度測定記録装置を認識するステップと、
前記第１情報処理装置が、前記温度測定記録装置に記録された温度データを抽出するステップと、
前記第１情報処理装置が、前記抽出した温度データを第２情報処理装置に送信するステップと、
を含み、
前記第１情報処理装置が、前記温度測定記録装置を認識することにより前記抽出から送信までの処理を自動的に行う、温度測定方法である。
【００３９】
上記第８発明は、上記第１発明の温度測定システムを用いることにより実施可能である。第８発明によれば、作業者が第１情報処理装置に温度測定記録装置を認識させるだけで、温度データの抽出から送信まですべて自動で行われるため、作業者にとって電子機器に関する知識を要する特別な操作は不要である。従って、より簡易な温度測定方法を提供できる。
【００４０】
本願の第９発明は、上記第８発明において、
前記第２情報処理装置が、前記第１情報処理装置から送信された前記温度データを受信するステップと、
前記第２情報処理装置が、前記受信された温度データを処理するステップと、
前記第２情報処理装置が、前記温度データの処理結果を第３情報処理装置に送信するステップと、
を含む、温度測定方法である。
【００４１】
上記第９発明は、上記第２発明の温度測定システムを用いることにより実施可能である。上記第９発明によれば、第１発明により自動的に第２情報処理装置へ送信された温度データが処理されてサービス依頼者の情報端末に送信される。そのため、作業者が特別な操作をしなくても、サービス依頼者にデータ処理結果を送信するまでの処理が自動的に行われる温度測定方法を提供できる。
【００４２】
本願の第１０発明は、
温度測定記録装置が、温度を測定するステップと、
第１情報処理装置が、前記温度測定記録装置を認識するステップと、
前記第１情報処理装置が、前記温度測定記録装置に記録された温度データを抽出するステップと、
前記第１情報処理装置が、前記抽出した温度データを処理するステップと、
前記第１情報処理装置が、前記温度データの処理結果を第３情報処理装置に送信するステップと、
を含み、
前記第１情報処理装置が、前記温度測定記録装置を認識することにより前記抽出から送信までの処理を自動的に行う、温度測定方法である。
【００４３】
上記第１０発明は、上記第４発明の温度測定システムを用いることにより実施可能である。上記第１０発明によれば、作業者が温度測定記録装置を第１情報処理装置に認識させたことを契機として、データ抽出からそのデータの処理結果を送信するまでの処理がすべて自動的に行われるため、より迅速で簡易な温度測定方法を提供できる。
【００４４】
本願の第１１発明は、上記第８〜１０発明において、
前記第１情報処理装置が、前記温度測定記録装置の条件データを算出するステップと、
前記第１情報処理装置が、前記温度測定記録装置に対して前記条件データを設定するステップと、
を含み、
前記条件データを算出するステップおよび前記条件データを設定するステップが自動的に行われる、温度測定方法である。
【００４５】
上記第１１発明は、上記第３または第５発明の温度測定システムを用いることにより実施可能である。上記第１１発明によれば、条件データの算出および設定が第１情報処理装置によってすべて自動的に行われるため、空の温度測定記録装置に条件データを設定する際、または、同じ温度測定記録装置を用いて複数回の温度測定を行う際に簡易な温度測定方法を提供できる。
【００４６】
本願の第１２発明は、上記第８〜１１発明において、
前記温度データを測定するステップに先立って、
前記第１情報処理装置が、前記温度測定記録装置を認識するステップと、
前記第１情報処理装置が、前記温度測定記録装置が初期化されているか否かを判別するステップと、
前記温度測定記録装置が初期化されている場合に、前記第１情報処理装置が、前記温度測定記録装置の測定条件が未設定であるか否かを判別するステップと、
前記温度測定記録装置の測定条件が未設定である場合に、前記第１情報処理装置が、前記温度測定記録装置の条件データを算出するステップと、
前記算出された条件データを前記温度測定記録装置に対して設定するステップと、
を含み、
前記温度測定記録装置を認識するステップから前記条件データを設定するステップまでの処理が、自動的に行われる、温度測定方法である。
【００４７】
上記第１２発明は、上記第７発明の温度測定システムを用いることにより実施可能である。即ち、第１情報処理装置に、温度測定記録装置の状態を確認して適切な処理を提供する手段が含まれることにより上記第１２発明の温度測定方法が実現されるのである。
【００４８】
上記第１２発明によれば、温度測定に先立って、温度測定記録装置の状態、即ち初期化されているか、条件設定がなされているかを確認でき、誤認等によって測定済みの温度測定記録装置を上書きしてしまったり、測定条件の設定されていない温度測定記録装置を使用してしまったりという事故を防止できる。特に、１回の測定で複数の温度測定記録装置を使用する場合に有効である。
【００４９】
【発明の実施の形態】
以下、本発明の実施の形態を図面に基づいて説明する。ただし、本発明は、多くの異なる態様で実施することが可能であり、本実施の形態の記載内容に限定して解釈すべきではない。なお、実施の形態の全体を通して同じ要素には同じ符号を付するものとする。
【００５０】
（実施の形態１）
図１は、本発明の温度測定方法の一実施形態における一例を含むサービス全体を例示するフローチャートである。サービス依頼者がサービスを発注すると（ステップ１０１）、サービス提供者は、サービスを受注し（ステップ１０２）、温度測定記録装置と情報端末をセットにして送付する（ステップ１０３）。サービス依頼者は、温度測定記録装置と情報端末を受け取り（ステップ１０４）、測定対象の近くに温度測定記録装置を配置して温度データを取得する（ステップ１０５）。
【００５１】
温度データを取得するステップの後、温度測定記録装置を情報端末に認識させると（ステップ１０６）、その後、サービス依頼者が処理結果を受領するまでの各処理が自動的に行われる。即ち、情報端末が温度測定記録装置を認識することにより、それを契機として温度データの抽出（ステップ１０７）が開始され、抽出された温度データがサービス提供者に送信される（ステップ１０８）。送信後、再測定するか否かが判別され（ステップ１０９）、再測定が必要であれば、情報端末は温度測定記録装置に対して再測定の条件を設定し（ステップ１１０）、再び温度データ取得のステップに戻る。再測定の必要がなければ、サービス提供者側からの処理結果の通知を待つ。
【００５２】
一方、サービス提供者側では、温度データを受信すると（ステップ１１１）、サービス提供者が管理する情報端末でデータ処理を行い（ステップ１１２）、その処理結果をサービス依頼者に通知する（ステップ１１３）。この通知は、メール、ファクシミリ、印刷物の郵送等のあらゆる手段を用いることができる。サービス依頼者は、処理結果の通知を受け取ると（ステップ１１４）、温度測定記録装置と情報端末を返却し（ステップ１１５）、サービス提供者側で受け取ると（ステップ１１６）、取引が終了する（ステップ１１７）。
【００５３】
図１で説明したサービスの提供は、以下の温度測定システムによって実現することができる。図２は、本発明の一実施形態である温度測定システムの一例を示す図である。温度測定記録装置２０１と第１情報処理装置２０２との間においては、温度データの抽出、測定条件の設定が行われる。第１情報処理装置２０２は、第２情報処理装置２０３へ抽出した温度データを送信する。第２情報処理装置２０３は、サービス依頼者へデータ処理結果を通知する。このとき、第１情報処理装置２０２においてデータ処理を行い、直接その処理結果を第３情報処理装置に送信するという構成を採用することも可能である。
【００５４】
図３（Ａ）は、第１情報処理装置の一例を示す図である。第１情報処理装置３０１は、通信手段３０２、制御手段３０３、メモリ３０４を有する。通信手段３０２は、温度測定記録装置と通信する手段と、後述する第２情報処理装置または第３情報処理装置と通信する手段を含む。制御手段３０３は、通信手段３０２、メモリ３０４を制御する手段である。メモリ３０４は、データ格納領域３０４ａ、ソフトウェア格納領域３０４ｂを含む。データ格納領域３０４ａは、温度測定記録装置から抽出した温度データを記憶させたり、温度測定記録装置に設定する測定条件データを記憶させる領域である。
【００５５】
図３（Ｂ）は、第２情報処理装置の一例を示す図である。第２情報処理装置３１１は、通信手段３１２、制御手段３１３、メモリ３１４を有し、メモリ３１４は、データ格納領域３１４ａおよびソフトウェア格納領域３１４ｂを有する。通信手段３１２は、第１情報処理装置または後述する第３情報処理装置と通信する手段を含む。データ格納領域３１４ａは、第１情報処理装置から送信された温度データやその処理結果を記憶させる領域である。
【００５６】
図３（Ｃ）は、第３情報処理装置の一例を示す図である。第３情報処理装置３２１は、通信手段３２２、制御手段３２３、メモリ３２４を有し、メモリ３２４は、データ格納領域３２４ａおよびソフトウェア格納領域３２４ｂを有する。通信手段３２２は、第１情報処理装置または第２情報処理装置と通信する手段を含む。データ格納領域３２４ａは、第１情報処理装置または第２情報処理装置から送信されたデータ処理結果を記憶させる領域である。
【００５７】
なお、図３（Ａ）〜（Ｃ）に示した第１〜第３情報処理装置のそれぞれにおいて、ソフトウェア格納領域は、通信プロトコル、データ閲覧用のアプリケーションソフトウェア等を記憶させておく領域である。これらのハードウェア資源は、特別なものである必要はなく、公知のものを用いることができる。
【００５８】
また、図２に示す温度測定システムにおいては、サービス依頼者が法人であって結果閲覧者および作業者が法人の従業員である場合が代表的に例示できるが、これに限定するものではない。例えば、サービス依頼者が個人業の事業主（結果閲覧者を兼ねることになる。）であって、事業主に雇われた者が作業者である場合、またはサービス依頼者が前述のような法人や個人事業主であり、作業者が別法人もしくは別事業主である場合などをも含む。
【００５９】
次に、サービス提供者から温度測定記録装置及び情報端末を受け取ってから、自動処理が終了するまでの手順について、図１の例示よりもさらに具体的な例を以下に示す。
【００６０】
図７は、本発明の一実施形態である温度測定方法の一例を示すフローチャートである。まず、第１情報処理装置が、温度測定記録装置を認識する（ステップ７０１）ことにより、それを契機（トリガ）として温度測定記録装置が初期化されているか否かを判別する手段が動作する（ステップ７０２）。初期化されていれば、温度測定記録装置に条件データが設定されているか否かを判別する手段が動作する（ステップ７０３）が、初期化されていなければ、温度データが記録されていると判断して温度データの抽出を開始する（ステップ７０８）。
【００６１】
ステップ７０３において条件データが設定済みであれば、温度測定を行う作業者は、測定対象の近くに温度測定記録装置を設置して測定を開始すれば良い（ステップ７３２）。条件データが未設定であれば、第１情報処理装置は、条件データを算出し（ステップ７０４）、その条件データを温度測定記録装置に設定して（ステップ７０５）、動作を終了する（ステップ７０６）。
【００６２】
ステップ７０５の設定により、温度測定記録装置は、条件データを記憶する（ステップ７３１）。こうしてステップ７３１により条件データを記憶するか、ステップ７０３により設定済みであると判別された温度測定記録装置は、測定対象の近傍に設置され、設定された測定開始時刻になると自動的に測定を開始する（ステップ７３２）。測定が開始されると所定の測定間隔で所定の点数の温度測定を行い、温度データを取得する（ステップ７３３）。測定終了時刻になると、動作を終了する（ステップ７３４）。
【００６３】
ここで、上記ステップ７０１〜７０６までの処理について、さらに具体的に説明する。図４は、第１情報処理装置の動作の一例を示すフローチャートである。まず第１情報処理装置に測定条件が入力され（ステップ４０１）、測定日数「Ｊ」が算出される（ステップ４０２）。そして、内部カウンタ「Ｎ」がリセットされて「Ｎ＝０」となる（ステップ４０３）。図４においては、ここまでの処理をサービス提供者側で行っているが、サービス依頼者側で行っても構わない。
【００６４】
次に、第１情報処理装置が温度測定記録装置を認識すると（ステップ４０４）、自動的に、温度測定記録装置が初期化されているか否かが判別される（ステップ４０５）。判別の結果、初期化済みであれば条件設定がされているか否かが判別される（ステップ４０６）。判別の結果、条件設定が未設定であれば条件データの算出（ステップ４０７）および設定（ステップ４０８）がなされ、温度データの測定に入ることができる（ステップ４０９）。勿論、判別の結果、条件設定が済みであれば、そのまま温度データの測定に入ることができる。
【００６５】
なお、初期化されているか否かを判別された結果（ステップ４０５）、初期化がされていないと判断された場合、温度データの抽出が行われる（ステップ４１０）。温度データの抽出が終了すると、温度データがサービス提供者の情報端末に送信されたり、温度データをさらに処理してその処理結果がサービス依頼者の情報端末に送信されるなどの処理が行われ、その後、温度データ抽出後の温度測定記録装置は、初期化される（ステップ４１１）。温度測定記録装置の初期化は、温度データを記録する領域を「０」、「１」または「Ｎｕｌｌ」のいずれかで満たすなどすれば良い。温度測定記録装置の初期化終了後、前述のように算出された測定日数「Ｊ」と内部カウンタ「Ｎ」とが比較される（ステップ４１２）。このとき、測定日数と内部カウンタが一致すれば、所定の測定が終了する（ステップ４１３）が、不一致であれば、内部カウンタが「１」だけ繰り上げられて（ステップ４１４）、再び条件データの設定がなされる（ステップ４０８）。
【００６６】
前述のステップ４０７において、条件データの算出は、次に示すような方法で行われる。図５は、条件データの算出方法の一例を示す図である。図５において、（１）〜（３）は、それぞれＡ、Ｂ、Ｃの各時刻にステップ４０７の算出が行われた場合を意味しており、測定開始時刻（Ｚで示される。）との関係で算出のための計算式が変わる。（１）の場合、次の測定の前日に算出が行われるため、開始時刻までの時間「Ｄ」は、Ｄ＝（２４−Ａ）＋Ｚで求められる。（２）の場合、測定日に算出が行われるため、開始時刻までの時間「Ｄ」は、Ｄ＝Ｚ−Ｂで求められる。（３）の場合、即ち、本来測定を開始すべきであった時刻を経過してしまった後に算出する場合は、Ｄ＝０としてただちに測定を開始すれば良い。
【００６７】
なお、上記（３）の場合、必ずしもすべての測定点数（最大２０４８点）を測定する必要はなく、経過してしまった部分をスキップしても良い。例えば、図５によれば、本来測定を開始すべき時刻から「Ｃ−Ｚ」の時間が経過しており、その間に測定されるはずだった測定点数は、測定間隔を「Ｓ］とすると、「（Ｃ−Ｚ）／Ｓ」である。従って、「（Ｃ−Ｚ）／Ｓ」までの測定点はスキップして、次の測定点となる「（Ｃ−Ｚ）／Ｓ＋１」からデータを記録しても良い。このとき、温度測定記録装置に内蔵されたメモリのうち、「（Ｃ−Ｚ）／Ｓ」までの測定点に対応する記録領域には、「０」、「１」または「Ｎｕｌｌ」のいずれかで満たされたままの状態が残ることとなる。
【００６８】
図７の説明に戻る。作業者（オペレータ）は、温度測定（ステップ７３３）の終了後、温度測定記録装置を再び第１情報処理装置に認識させる（ステップ７０７）。第１情報処理装置は、温度測定記録装置を認識することにより、それを契機として温度データの抽出を開始し（ステップ７０８）、抽出した温度データを第２情報処理装置へ送信する（ステップ７０９）。送信された温度データは、第２情報処理装置に受信され（ステップ７２１）、グラフ化等のデータ処理が行われ（ステップ７２２）、その後、第２情報処理装置の動作は終了する（ステップ７２３）。
【００６９】
温度データを送信した後、第１情報処理装置は、温度測定記録装置の初期化を行い（ステップ７１０）、再測定（引き続いての測定）が必要か否かを判別する（ステップ７１１）。再測定が不必要であれば、そのまま動作は終了する（ステップ７１５）。ステップ７１１において再測定が必要であれば、内部カウンタが繰り上がり、１回の測定の終了が記録される（ステップ７１２）。さらに、第１情報処理装置は、条件データの算出を行い（ステップ７１３）、その条件データを温度測定記録装置に設定して（ステップ７１４）、動作を終了する（ステップ７１５）。
【００７０】
ステップ７１４により条件データを設定された温度測定記録装置は、メモリに条件データが記憶され（ステップ７３５）、再びステップ７０１に戻って、測定準備が行われる。以上のようなサイクルで温度測定が行われる。
【００７１】
以上説明した手順によれば、一つの温度測定記録装置をサービス提供者に返送することなく繰り返し使用して複数回の温度測定を行うことができる。これにより温度測定記録装置を返送するに費やされる時間を節約でき、サービス依頼者に迅速な情報提供を行うことが可能となる。また、サービス依頼者が、温度測定を行う作業者と異なる者であっても迅速な情報提供が可能であり、第１情報処理装置を扱う作業者が電子機器に対して不慣れであっても、温度測定記録装置を認識させるのみで足りるため、非常に簡易な温度測定が可能である。
【００７２】
なお、本実施の形態１の場合、第２情報処理装置のデータ処理により作成されたデータ処理結果は、印刷物または記憶媒体（メディア）の郵送、ファクシミリ、電子メールその他の通知手段を用いてサービス依頼者（具体的にはデータ処理結果を閲覧する者）に通知される。通知手段としてファクシミリや電子メールを用いる場合、データ処理結果の電子データを、メールサーバ等の通信機能を備えた情報処理装置を経由して送信すれば良い。また、データ処理結果をウェブサーバ等の情報処理装置を介してウェブ上で閲覧可能な状態とし、その旨を電子メール等でサービス依頼者に通知することも可能である。この場合、電子メールの本文中にハイパーテキストリンクを埋め込んでおけば良い。
【００７３】
（実施の形態２）
図８は、本発明の一実施形態である温度測定方法の一例を示すフローチャートである。温度測定記録装置および第１情報処理装置の手順については、実施の形態１で説明した通りであるので、本実施の形態２においては、第２情報処理装置および第３情報処理装置に関する手順のみ説明する。
【００７４】
ステップ７０９において作業者によって第１情報処理装置から送信された温度データは、サービス提供者の管理する第２情報処理装置によって受信され（ステップ７２１）、データ処理がなされる（ステップ７２２）。そして、そのデータ処理結果は、サービス依頼者（具体的には結果閲覧者）の管理する第３情報処理装置へと送信される（ステップ８０１）。第２情報処理装置の動作は、ここで終了する（ステップ７２３）。
【００７５】
第２情報処理装置から送信されたデータ処理結果は、第３情報処理装置によって受信される（ステップ８１１）。データ処理結果は、ＦＴＰ（Ｆｉｌｅ  Ｔｒａｎｓｆｅｒ  Ｐｒｏｔｏｃｏｌ）ソフトウェアを用いたダウンロード等の形式で受信することもできるし、電子メールの添付ファイル等の形式で受信することもできる。いずれにしてもサービス依頼者が自己管理する第３情報処理装置を操作すれば良い。受信されたデータ処理結果は、表示画面があればそこに表示することができ（ステップ８１２）、サービス依頼者は、表示された結果を閲覧することによりデータ処理の結果を知ることができる。閲覧が終了したら、第３情報処理装置の動作を終了させれば良い（ステップ８１３）。
【００７６】
本実施の形態２の場合、第２情報処理装置が、データ処理を終えた後にさらにその処理結果を第３情報処理装置に送信する点に特徴がある。即ち、作業者が第１情報処理装置に温度測定記録装置を認識させれば、サービス依頼者に結果が通知されるまでの処理が情報処理装置を介して自動的に進行する。そのため、基本的には実施の形態１と同じ効果を奏するが、サービス依頼者への通知を電子データの送受信により行うため、サービス依頼者に対して、より迅速な情報提供をすることが可能となる。
【００７７】
（実施の形態３）
図９は、本発明の一実施形態である温度測定方法の一例を示すフローチャートである。温度測定記録装置の手順については、実施の形態１で説明した通りであるので、本実施の形態３においては、第１情報処理装置および第３情報処理装置に関する手順のみ説明する。
【００７８】
ステップ７０８において抽出された温度データは、第１情報処理装置内にてそのままデータ処理がなされ（ステップ９０１）、その処理結果が、サービス依頼者の管理する第３情報処理装置へと送信される（ステップ９０２）。データ処理結果の送信は、電子データを電子メールに添付して送信すれば良い。送信後、第１情報処理装置は、自動的にステップ７１０以降の手順に従って次の測定準備に入る。
【００７９】
第１情報処理装置から送信されたデータ処理結果は、第３情報処理装置によって受信される（ステップ８１１）。受信されたデータ処理結果は、表示画面があればそこに表示することができ（ステップ８１２）、サービス依頼者は、表示された結果を閲覧することによりデータ処理の結果を知ることができる。閲覧が終了したら、第３情報処理装置の動作を終了させれば良い（ステップ８１３）。
【００８０】
本実施の形態３の場合、第１情報処理装置が、データ抽出からデータ処理までを自動的に行い、直接その処理結果を第３情報処理装置に送信する点に特徴がある。即ち、作業者が第１情報処理装置に温度測定記録装置を認識させれば、サービス依頼者に結果が通知されるまでの処理が第１情報処理装置のみで自動的に進行する。そのため、基本的には実施の形態１と同じ効果を奏するが、サービス依頼者への情報提供を、より迅速に行うことが可能となる。
【００８１】
以上、本発明者によってなされた発明を発明の実施の形態に基づき具体的に説明した。しかし、本発明は、前記実施の形態に限定されるものではなく、その要旨を逸脱しない範囲で種々変更することが可能である。
【００８２】
【発明の効果】
本発明によれば、従来の温度測定サービスがさらに改善され、温度データを取得する作業者とデータ処理結果を閲覧する者が異なる場合においても、閲覧者に対して迅速な情報提供が可能となる。
【００８３】
また、作業者が電子機器の取り扱いに関して不慣れな者であっても、極めて簡易な操作のみで足りるため、そのような場合においても簡易な温度測定サービスを提供することができる。
【図面の簡単な説明】
【図１】本発明の温度測定方法の一実施形態における一例を含むサービス全体を例示するフローチャートである。
【図２】本発明の一実施形態である温度測定システムの一例を示す図である。
【図３】第１〜第３情報処理装置の一例を示す図である。
【図４】第１情報処理装置の動作の一例を示すフローチャートである。
【図５】条件データの算出方法の一例を示す図である。
【図６】簡易温度計測サービス全体を示すフローチャートである。
【図７】本発明の一実施形態である温度測定方法の一例を示すフローチャートである。
【図８】本発明の一実施形態である温度測定方法の一例を示すフローチャートである。
【図９】本発明の一実施形態である温度測定方法の一例を示すフローチャートである。
【符号の説明】
２０１…温度測定記録装置、２０２…第１情報処理装置、２０３…第２情報処理装置、３０１…第１情報処理装置、３０２…通信手段、３０３…制御手段、３０４…メモリ、３０４ａ…データ格納領域、３０４ｂ…ソフトウェア格納領域、３１１…第２情報処理装置、３１２…通信手段、３１３…制御手段、３１４…メモリ、３１４ａ…データ格納領域、３１４ｂ…ソフトウェア格納領域、３２１…第３情報処理装置、３２２…通信手段、３２３…制御手段、３２４…メモリ、３２４ａ…データ格納領域、３２４ｂ…ソフトウェア格納領域。
【図１】
2004219331.tif 000003
【図２】
2004219331.tif 000004
【図３】
2004219331.tif 000005
【図４】
2004219331.tif 000006
【図５】
2004219331.tif 000007
【図６】
2004219331.tif 000008
【図７】
2004219331.tif 000009
【図８】
2004219331.tif 000010
【図９】
2004219331.tif 000011